(57)【要約】【課題】電池からの直流電力により光源を点灯させる装置において、電池からの直流電力を交流電力に変換する自動切換装置を不要とする。【解決手段】光源点灯装置１２は、商用電源１１から供給される交流電力を整流して脈流電力を出力する整流部２０と、整流部２０から出力される脈流電力を光源点灯用の直流電力に変換して出力する電源部３０と、電源部３０に接続され、電池１４から供給される直流電力を電源部３０に出力するための接続部４０とを備えている。電源部３０は、整流部２０から脈流電力が出力されず、かつ、接続部４０から直流電力が出力される場合、その直流電力を光源点灯用の直流電力に変換して出力する。【選択図】図１
2014078457.tif 000002
【特許請求の範囲】
【請求項１】
商用電源から供給される交流電力を整流して脈流電力を出力する整流部と、
前記整流部から出力される脈流電力を光源点灯用の直流電力に変換して出力する電源部と、
前記電源部に接続され、外部の電池から供給される直流電力を前記電源部に出力するための接続部と
を備え、
前記電源部は、前記整流部から脈流電力が出力されず、かつ、前記接続部から直流電力が出力される場合、その直流電力を光源点灯用の直流電力に変換して出力することを特徴とする光源点灯装置。
【請求項２】
前記接続部は、前記電池から供給される直流電力を所定の直流電力に変換して前記電源部に出力することを特徴とする請求項１の光源点灯装置。
【請求項３】
前記接続部は、前記整流部から出力される脈流電力よりも電圧が低い直流電力を出力することを特徴とする請求項２の光源点灯装置。
【請求項４】
前記電源部は、前記整流部から出力される脈流電力を平滑して直流電力を出力する平滑回路と、前記平滑回路から出力される直流電力を降圧する降圧回路とを有し、
前記接続部は、前記降圧回路の入力側に接続されることを特徴とする請求項２の光源点灯装置。
【請求項５】
前記接続部は、前記平滑回路から出力される直流電力よりも電圧が低い直流電力を出力することを特徴とする請求項４の光源点灯装置。
【請求項６】
前記電源部は、前記整流部から出力される脈流電力を昇圧する昇圧回路を有し、
前記接続部は、前記昇圧回路の入力側に接続されることを特徴とする請求項１から３のいずれかの光源点灯装置。
【請求項７】
前記電源部は、前記接続部から出力される直流電力を光源点灯用の直流電力に変換して出力する場合、前記整流部から出力される脈流電力を光源点灯用の直流電力に変換して出力する場合よりも小さい直流電力を出力することを特徴とする請求項１から６のいずれかの光源点灯装置。
【請求項８】
前記接続部は、前記電池から非接触給電により直流電力を入力して前記電源部に出力することを特徴とする請求項１から７のいずれかの光源点灯装置。
【請求項９】
前記整流部と前記電源部とを収納する複数の筐体
を備え、
前記接続部は、前記複数の筐体に対して１つ設けられ、前記電池から供給される直流電力を入力する共通の第１接続部と、前記複数の筐体に対して２つ以上設けられ、前記共通の第１接続部により入力される直流電力を、対応する筐体に収納された電源部に出力する複数の第２接続部とを有することを特徴とする請求項１から８のいずれかの光源点灯装置。
【請求項１０】
前記複数の筐体は、屋内に設置され、
前記共通の第１接続部は、屋外に設置されることを特徴とする請求項９の光源点灯装置。
【請求項１１】
前記複数の第２接続部は、前記複数の筐体それぞれに１つずつ着脱自在に取り付けられることを特徴とする請求項９又は１０の光源点灯装置。
【請求項１２】
請求項９から１１のいずれかの光源点灯装置と、
前記光源点灯装置の複数の筐体それぞれに少なくとも１つずつ取り付けられ、対応する筐体に収納された電源部から出力される直流電力により点灯する複数の光源と
を備えることを特徴とする照明システム。
【発明の詳細な説明】
【技術分野】
【０００１】
本発明は、光源点灯装置及び照明システムに関するものである。
【背景技術】
【０００２】
ＬＥＤ等の固体光源を点灯させる装置や照明システムにおいて、停電等で商用電源からの交流電力の供給が断たれたときに外部の電池（自動車用電池等）を使用して光源を点灯させる技術がある（例えば、特許文献１参照）。
【０００３】
特許文献１の装置は、災害等の停電時には自動車の電池から電力を供給することができるＬＥＤ照明装置である。この装置では、通常時は商用電源からＡＣ１００ＶあるいはＡＣ２００Ｖの電力がＬＥＤ電源ユニットに供給され、ＬＥＤ電源ユニットからＬＥＤ基板に電力が供給されてＬＥＤが点灯する。地震等で停電が発生し商用電源から電力が供給できない場合は、作業者が自動車の電池と接続を行う。これにより自動切換装置が起動して商用電源から電池に接続が切り換わり、電池の直流電力が電源変換器（ＤＣ／ＡＣインバータ）により直流から交流に変換されてＬＥＤ電源ユニットに供給されＬＥＤが点灯する。このように停電時は電池によってＬＥＤが点灯する。停電が復旧し作業者が電池の接続を解除すると自動切換装置が起動して電池から商用電源の接続に切り換わり商用電源でＬＥＤが点灯する。
【先行技術文献】
【特許文献】
【０００４】
【特許文献１】国際公開第２０１０／１０４０４６号
【発明の概要】
【発明が解決しようとする課題】
【０００５】
上記の従来の装置では、電池からの直流電力を交流電力に変換する自動切換装置が必要であるという課題があった。また、停電から復旧したときに作業者が外部電池との接続を解除しないと電池から電力が供給され続けてしまうので、自動車の電池からの給電時に停電から復旧しても接続を解除しないと電池の放電が進行し過ぎてしまうという課題があった。
【０００６】
本発明は、例えば、電池からの直流電力により光源を点灯させる装置において、電池からの直流電力を交流電力に変換する自動切換装置を不要とすることを目的とする。
【課題を解決するための手段】
【０００７】
本発明の一の態様に係る光源点灯装置は、
商用電源から供給される交流電力を整流して脈流電力を出力する整流部と、
前記整流部から出力される脈流電力を光源点灯用の直流電力に変換して出力する電源部と、
前記電源部に接続され、外部の電池から供給される直流電力を前記電源部に出力するための接続部とを備え、
前記電源部は、前記整流部から脈流電力が出力されず、かつ、前記接続部から直流電力が出力される場合、その直流電力を光源点灯用の直流電力に変換して出力する。
【発明の効果】
【０００８】
本発明の一の態様に係る光源点灯装置では、電源部が、整流部から脈流電力が出力されず、かつ、外部の電池から供給される直流電力を出力するための接続部から直流電力が出力される場合、その直流電力を光源点灯用の直流電力に変換して出力する。そのため、電池からの直流電力を交流電力に変換する自動切換装置が不要となる。
【図面の簡単な説明】
【０００９】
【図１】実施の形態１に係る照明システムの構成を示す回路図。
【図２】実施の形態２に係る照明システムの構成を示すブロック図。
【図３】実施の形態３に係る照明システムの構成を示すブロック図。
【図４】実施の形態４に係る照明システムの構成を示すブロック図。
【図５】実施の形態４に係る照明器具の例を示す側面図及び底面図。
【発明を実施するための形態】
【００１０】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１１】
実施の形態１．
図１は、本実施の形態に係る照明システム１０の構成を示す回路図である。
【００１２】
図１において、照明システム１０は、商用電源１１に接続される光源点灯装置１２と、光源点灯装置１２に接続される光源部１３とを備えている。光源点灯装置１２は、外部の電池１４（例えば電気自動車等の自動車の電池）にも接続可能である。
【００１３】
光源点灯装置１２は、商用電源１１から供給される交流電力を整流して脈流電力を出力する整流部２０と、整流部２０から出力される脈流電力を光源点灯用の直流電力に変換して出力する電源部３０と、電源部３０に接続され、電池１４から供給される直流電力を電源部３０に出力するための接続部４０とを備えている。電源部３０は、整流部２０から脈流電力が出力されず、かつ、接続部４０から直流電力が出力される場合、その直流電力を光源点灯用の直流電力に変換して出力する。
【００１４】
整流部２０は、直流生成部であり商用電源１１からの交流電力を全波整流して脈流電力を出力する全波整流回路２１を有する。
【００１５】
電源部３０は、全波整流回路２１に接続され、昇圧コンバータ等で構成される力率改善回路３１と、力率改善回路３１に接続される出力コンデンサ３２と、出力コンデンサ３２に接続され、バックコンバータとして構成されるコンバータ３３とを有する。
【００１６】
力率改善回路３１は、整流部２０から出力される脈流電力を昇圧する昇圧回路の例である。本実施の形態では、力率改善回路３１は、全波整流回路２１から出力される脈流電力の力率を改善するとともに、その脈流電力を昇圧して出力する。なお、本実施の形態では、力率改善回路３１を省略してもよく、その場合、出力コンデンサ３２を全波整流回路２１に直接接続してもよい。
【００１７】
出力コンデンサ３２は、整流部２０から（直接あるいは昇圧回路等を介して）出力される脈流電力を平滑する平滑回路の例である。本実施の形態では、出力コンデンサ３２は、力率改善回路３１から出力される脈流電力を平滑して直流電力を出力する。
【００１８】
コンバータ３３は、平滑回路から出力される直流電力を降圧する降圧回路の例である。本実施の形態では、コンバータ３３は、出力コンデンサ３２から出力される直流電力を降圧して光源点灯用の直流電力を出力する。コンバータ３３は、前述したようにバックコンバータとして構成されており、ダイオード３４、コンデンサ３５、コイル３６、抵抗３７、スイッチング素子３８（ＭＯＳＦＥＴ）、制御部３９（ＩＣ）を備えている。コンバータ３３は、スイッチング素子３８がオンのときに、出力コンデンサ３２から流れ込む電流をコンデンサ３５に流し、コンデンサ３５を充電するとともに、出力コンデンサ３２から流れ込む電流によりコイル３６にエネルギーを蓄積する。コンバータ３３は、スイッチング素子３８がオフのときに、コイル３６からエネルギーを放出し、このエネルギーにより発生する電流を、ダイオード３４を介してコンデンサ３５に流し、コンデンサ３５を充電する。そして、コンバータ３３は、出力コンデンサ３２から供給される直流電力の電圧よりも電圧が低い直流電力をコンデンサ３５から光源部１３に出力する。コンバータ３３の制御部３９は、抵抗３７により検出される光源部１３への出力電流に応じてスイッチング素子３８のオンオフを制御する。なお、本実施の形態では、コンバータ３３をバックコンバータの場合について説明するが、フライバックコンバータ等、バックコンバータ以外の方式で構成してもよい。
【００１９】
接続部４０は、電池１４に接続され、スイッチ等で構成される第１接続部４１と、第１接続部４１と電源部３０との間に接続され、昇圧コンバータで構成される第２接続部４２とを有する。
【００２０】
第１接続部４１は、電池１４から供給される直流電力を入力する。第１接続部４１は、電池１４から受電し、第２接続部４２に給電する装置であり、電池１４からの受電を行うための又は第２接続部４２に給電するための接続・開放を行う機械的スイッチで構成されている。
【００２１】
なお、第１接続部４１は、上記のような機械的スイッチに限らず、給電及びその停止を行う電子的スイッチ、又は、コネクタ等による接続・開放手段、又は、直流から直流への電力変換機能を有する電子回路、又は、電池１４の直流を高周波変換し電磁的な結合により電力を伝達する非接触電力供給装置であってもよい。あるいは、第１接続部４１は、これらの手段（機械的スイッチを含む）のうちの複数を備えたものであってもよい。また、第１接続部４１は、コンバータ３３の出力を電池１４からの給電状態では商用電源１１からの給電と異なるように設定するための信号を生成する手段を備えていてもよい。
【００２２】
第１接続部４１は、電池１４に近い場所に配置されることが好ましい。
【００２３】
第２接続部４２は、第１接続部４１により入力される直流電力を電源部３０に出力する。第２接続部４２は、前述したように昇圧コンバータで構成されており、スイッチング素子４４（ＭＯＳＦＥＴ）、制御部４５（ＩＣ）、高周波トランス４６、ダイオード４７，４８、コンデンサ４９を備えている。第２接続部４２は、スイッチング素子４４がオンのときに、第１接続部４１から流れ込む電流により高周波トランス４６にエネルギーを蓄積する。第２接続部４２は、スイッチング素子４４がオフのときに、高周波トランス４６からエネルギーを放出し、このエネルギーにより発生する電流を、ダイオード４７，４８を介して出力コンデンサ３２及びコンデンサ４９に流し、出力コンデンサ３２及びコンデンサ４９を充電する。そして、第２接続部４２は、第１接続部４１から供給される直流電力のピーク電圧よりも電圧が高い直流電力を出力コンデンサ３２からコンバータ３３に出力するとともに、所定の直流電圧をコンデンサ４９からコンバータ３３の制御部３９に印加する。第２接続部４２がコンバータ３３の制御部３９に印加する電圧は、コンバータ３３の出力を電池１４からの給電状態では商用電源１１からの給電と異なるように設定するための信号に相当する。第２接続部４２の制御部４５は、スイッチング素子４４のオンオフを制御する。
【００２４】
なお、第２接続部４２は、上記のような直流から直流への電力変換機能を有する電子回路に限らず、電池１４との接続・開放を行う機械的スイッチ、又は、給電及びその停止を行う電子的スイッチ、又は、コネクタ等による接続・開放手段、又は、電池１４の直流を高周波変換し電磁的な結合により電力を伝達する非接触電力供給装置であってもよい。あるいは、第２接続部４２は、これらの手段（電力変換機能を有する電子回路を含む）のうちの複数を備えたものであってもよい。
【００２５】
第２接続部４２は、電源部３０にコネクタ又はその他の手段で直接取り付けられるか、あるいは、その出力配線が電源部３０に接続できるように構成される。
【００２６】
光源部１３は、電源部３０から出力される直流電力により点灯する。本実施の形態では、光源部１３は、直列接続された複数のＬＥＤで構成されている。なお、ＬＥＤの数、接続方式、配置等は任意である。また、ＬＥＤは光源の例であり、本実施の形態では、ＬＥＤに代えて、有機ＥＬ等、他の種類の光源を用いてもよい。
【００２７】
本実施の形態では、通常時は商用電源１１からの交流電圧が全波整流回路２１、力率改善回路３１、出力コンデンサ３２により直流電圧に変換され、この直流電圧がコンバータ３３に入力される。コンバータ３３は、スイッチング動作により所定の定電流を光源部１３のＬＥＤに供給し、ＬＥＤを点灯させる。ここで、仮に商用電源１１から給電されているときの力率改善回路３１の出力電圧が２８０Ｖであったとする。停電等が発生したときに第１接続部４１を接続し電池１４から第２接続部４２に通電すると、第２接続部４２がスイッチング動作を開始してその高周波トランス４６の二次側に出力を発生させる。そして、この出力（直流）がダイオード４７を介してコンバータ３３に入力される。このとき、ダイオード４７の出力電圧を２００Ｖとする。コンバータ３３は、第２接続部４２から印加される電圧を変換し光源部１３のＬＥＤを点灯させる。コンバータ３３は、入力される直流電圧が変化しても定電流特性を示すので通常時と同じ電流でＬＥＤを点灯させることができる。
【００２８】
本実施の形態によれば、電池１４からの直流電力を交流電力に変換する自動切換装置が不要となる。
【００２９】
本実施の形態において、電源部３０は、接続部４０から出力される直流電力を光源点灯用の直流電力に変換して出力する場合、整流部２０から出力される脈流電力を光源点灯用の直流電力に変換して出力する場合よりも小さい直流電力を出力してもよい。即ち、コンバータ３３は、電池１４の消耗を抑えるために、電池１４の電力を使用しているときにはＬＥＤの電流を減少させてＬＥＤを点灯させてもよい。この場合は、前述したように、例えば第２接続部４２のコンデンサ４９の出力電圧を信号とし、この信号がコンバータ３３の制御部３９に入力されるようにする。コンバータ３３の制御部３９は、この信号（コンデンサ４９の電圧）が入力されたときに、コンバータ３３の出力電流を調光状態のように設定することでＬＥＤの電流を減少させてＬＥＤを点灯させる。つまり、コンバータ３３の制御部３９は、第２接続部４２から所定の信号が入力されているかどうかによって、電力供給源が商用電源１１か電池１４かを判断し、その判断結果に応じてコンバータ３３の出力電流を調整する。
【００３０】
停電等から復旧したときは、力率改善回路３１の出力電圧が第２接続部４２の出力電圧より高くなるように設定されているので、たとえ復旧直後に電池１４の接続を解除することを失念しても、電池１４からは主たる電力が供給されず電池１４の消耗を抑えることができる。
【００３１】
本実施の形態では、第１接続部４１と第２接続部４２とをつなぐ配線路には電池１４の低い電圧しか印加されないので災害時等にも安全性が高い。
【００３２】
以上説明したように、本実施の形態において、接続部４０は、電池１４から供給される直流電力を所定の直流電力に変換して電源部３０に出力する。接続部４０は、出力コンデンサ３２の入力側に接続されており、力率改善回路３１から出力される脈流電力よりも電圧が低い直流電力を出力する。なお、接続部４０は、力率改善回路３１の入力側に接続されてもよく、この場合、整流部２０（全波整流回路２１）から出力される脈流電力よりも電圧が低い直流電力を出力する。あるいは、接続部４０は、コンバータ３３の入力側に接続されてもよく、この場合、出力コンデンサ３２から出力される脈流電力よりも電圧が低い直流電力を出力する。いずれの構成をとる場合でも、停電から復旧すれば主たる電力の供給源が電池１４から商用電源１１に自動的に切り替わる。このため、停電時は電池１４を接続することでＬＥＤ等の光源を点灯させることができ、電池１４の接続を解除しなくても停電から復旧すれば主たる電力は商用電源１１から供給されるようになるので電池１４の不要な消耗を防止できる。さらに、電池１４の接続解除を忘れてしまったときにも、深夜等になり消灯操作を行ったときには主たる電力の供給源が商用電源１１から電池１４に自動的に切り替わり、光源が点灯するため、使用者に電池１４の接続解除を忘れていることについて注意を喚起できる。
【００３３】
前述したように、コンバータ３３に関しては図１ではバックコンバータの例を示したが、固体光源に所定の直流電流を供給できるものであれば他の回路構成（例えばフライバックコンバータ）を適用してもよい。
【００３４】
固体光源として発光ダイオードを使用したものについて説明したが直流電力を供給するものであれば他の固体光源（例えば有機ＥＬ）を適用してもよい。
【００３５】
第１接続部４１と第２接続部４２での動作について、その適用可能な組み合わせについて以下に詳細に述べる。
【００３６】
第１接続部４１が直流から直流への電力変換機能を有する電子回路を含まず電池１４との接続・開放を行う場合、第２接続部４２が直流から直流への電力変換機能を有する電子回路を備えていれば第２接続部４２の出力はコンバータ３３及び出力コンデンサ３２のいずれかに入力されればよく、第１接続部４１及び第２接続部４２間の配線路電圧は低圧の電池１４の電圧で済む。
【００３７】
第１接続部４１が直流から直流への電力変換機能を有する電子回路を含まず電池１４との接続・開放を行う場合、第２接続部４２が直流から直流への電力変換機能を有する電子回路を含まない場合は第２接続部４２の出力は昇圧機能を有する力率改善回路３１に入力され所定の電圧に昇圧される。もしこのとき電池１４から給電されるときに出力を低減するならば第２接続部４２の出力からコンバータ３３に対して信号を供給し通常点灯よりもコンバータ３３の出力を低下させればよい。この場合も第１接続部４１及び第２接続部４２間の配線路電圧は低圧の電池１４の電圧で済む。
【００３８】
第１接続部４１が電池１４の直流を高周波変換し電磁的な結合により電力を伝達する非接触電力供給装置を含む場合、第１接続部４１及び第２接続部４２間の配線路電圧は低圧の安全特別低電圧であるＤＣ２４Ｖや４８Ｖであるとする。このとき第２接続部４２が直流から直流への電力変換機能を有する電子回路を備えていれば第２接続部４２の出力はコンバータ３３及び出力コンデンサ３２のいずれかに入力されればよく、第１接続部４１及び第２接続部４２間の配線路電圧は低圧の電池１４の電圧で済む。
【００３９】
第２接続部４２が直流から直流への電力変換機能を有する電子回路を含まない場合は第２接続部４２の出力は昇圧機能を有する力率改善回路３１に入力され所定の電圧に昇圧される。もしこのとき電池１４から給電されるときに出力を低減するならば第２接続部４２の出力からコンバータ３３に対して信号を供給し通常点灯よりもコンバータ３３の出力を低下させればよい。この場合も第１接続部４１及び第２接続部４２間の配線路電圧は低圧の電池１４の電圧で済む。
【００４０】
第１接続部４１は自動車等の電池１４の近傍に配置されて電池１４からの出力配線が容易に装着できるようなコネクタ等を入力端子側に備えることが望ましく、さらに、屋外に設置可能なように防水構造の外囲器（図示せず）に収納されることが望ましい。また、通常時は地中にこの外囲器を埋設するようにしたものでは一般の作業に支障を与えないので好ましい。
【００４１】
第１接続部４１が電池１４の直流を高周波変換し電磁的な結合により電力を伝達する非接触電力供給装置を含む場合は第２接続部４２への給電が行われてないときは電池１４からの入力があっても非接触電力供給装置の動作を停止できるようにすることも無駄な電力を使用しないので好ましい。
【００４２】
本実施の形態によれば、停電時は自動車等の電池１４から給電することでＬＥＤ等の光源を点灯させることができ、電池１４の接続を解除しなくても停電から復旧すれば主たる電力は商用電源１１から供給されるので電池１４の不要な消耗を防止できる。また、第１接続部４１と第２接続部４２との間の配線路の電圧を低くすることができるので安全性が高まる。
【００４３】
実施の形態２．
本実施の形態について、主に実施の形態１との差異を説明する。
【００４４】
図２は、本実施の形態に係る照明システム１０の構成を示すブロック図である。
【００４５】
図２において、光源点灯装置１２の接続部４０は、電池１４から非接触給電により直流電力を入力して電源部３０に出力する。その他の照明システム１０の構成は、図１に示した実施の形態１のものと同様である。
【００４６】
本実施の形態では、第１接続部４１は、電池１４の直流を高周波変換し電磁的な結合により電力を伝達する非接触電力供給装置である。第１接続部４１は、電池１４の直流電圧を高周波に変換し、その出力から電磁的な結合で二次側に昇圧した直流電圧を発生させる。第２接続部４２は、実施の形態１のような昇圧コンバータは含まず、コネクタによる接続の機能を備えている。
【００４７】
本実施の形態においても、電池１４が接続されるとコンバータ３３が実施の形態１と同様に光源部１３のＬＥＤを点灯させることができる。接続部４０は、非接触給電により電池１４側とは絶縁しているため、安全性が高まる。
【００４８】
本実施の形態においても、電池１４からの出力でＬＥＤを点灯させる場合に商用電源１１からの出力で点灯させる場合よりもＬＥＤの電流を減少させるのであれば、第２接続部４２の内部でコンバータ３３の出力を減少させるための信号を生成し、コンバータ３３の制御部３９に入力すればよい。
【００４９】
第１接続部４１と第２接続部４２との間の配線路の電圧を、例えばＤＣ４５Ｖのような安全特別低電圧として安全性を高める場合は、第２接続部４２の出力電圧を力率改善回路３１に入力すればよい。あるいは、第２接続部４２が図１に示したものと同様に直流から直流への電力変換機能を有する電子回路を備えていればよい。
【００５０】
実施の形態３．
本実施の形態について、主に実施の形態１との差異を説明する。
【００５１】
図３は、本実施の形態に係る照明システム１０の構成を示すブロック図である。
【００５２】
図３において、光源点灯装置１２は、整流部２０と電源部３０とを収納する筐体５０を備えている。整流部２０と電源部３０と筐体５０とで、１つの照明器具が構成されている。光源部１３は、筐体５０に取り付けられ、筐体５０に収納された電源部３０から出力される直流電力により点灯する。
【００５３】
筐体５０は、屋内に設置されている。電池１４は、屋外に設置されている。
【００５４】
本実施の形態では、光源点灯装置１２の接続部４０は、電池１４の近傍（即ち、屋外）に配置される第１接続部４１と筐体５０（即ち、屋内）に取り付けられる第２接続部４２との間に接続され、筐体５０が設置される部屋の壁面等に取り付けられる第３接続部４３を有する。
【００５５】
第３接続部４３は、第１接続部４１により入力される直流電力を、配線を介して第２接続部４２に供給する。第２接続部４２は、第３接続部４３から供給される直流電力を電源部３０に出力する。
【００５６】
本実施の形態においても、電池１４からの出力でＬＥＤを点灯させる場合に商用電源１１からの出力で点灯させる場合よりもＬＥＤの電流を減少させるのであれば、第２接続部４２の内部でコンバータ３３の出力を減少させるための信号を生成し、コンバータ３３の制御部３９に入力すればよい。
【００５７】
電池１４の出力電圧の昇圧機能を第３接続部４３に備えると、第２接続部４２には昇圧機能を実現する回路が不要となるので、第２接続部４２が小形になり照明器具への取り付けが容易になる。電池１４の出力電圧の昇圧機能を第２接続部４２に備えると、第１接続部４１と第３接続部４３とを結ぶ配線路の電圧が低いため、安全性が向上する。
【００５８】
実施の形態４．
本実施の形態について、主に実施の形態１との差異を説明する。
【００５９】
図４は、本実施の形態に係る照明システム１０の構成を示すブロック図である。
【００６０】
図４において、光源点灯装置１２は、整流部２０と電源部３０とを収納する複数の筐体５０を備えている。整流部２０と電源部３０と筐体５０とで、１つの照明器具が構成されている。光源部１３は、複数の筐体５０それぞれに１つずつ（１つにつき、少なくとも１つのＬＥＤを有する）取り付けられ、対応する筐体５０に収納された電源部３０から出力される直流電力により点灯する。
【００６１】
筐体５０は、屋内に（例えば部屋ごとに１つずつ）設置されている。電池１４は、屋外に（例えば１台の自動車に）設置されている。
【００６２】
光源点灯装置１２の接続部４０は、複数の筐体５０に対して１つ設けられ、電池１４から供給される直流電力を入力する共通の第１接続部４１と、複数の筐体５０に対して２つ以上設けられ、第１接続部４１により入力される直流電力を、対応する筐体５０に収納された電源部３０に出力する複数の第２接続部４２とを有する。
【００６３】
第１接続部４１は、電池１４の近傍（即ち、屋外）に配置されている。第２接続部４２は、複数の筐体５０それぞれ（即ち、屋内）に１つずつ着脱自在に取り付けられている。
【００６４】
本実施の形態では、電池１４は、１台で複数の光源部１３に電力を供給する。そのために、第１接続部４１は、複数の第２接続部４２へと分岐給電し、それぞれの第２接続部４２は、対応するコンバータ３３に給電する。なお、照明器具が複数台同じ部屋に存在する場合は、その部屋に第２接続部４２を１つだけ設けるようにして、第２接続部４２から部屋内の異なるコンバータ３３へと分岐給電するようにしてもよい。この場合、第１接続部４１から第２接続部４２までの配線を削減することができる。
【００６５】
図５は、照明器具の例を示す側面図及び底面図である。
【００６６】
図５において、天井面１５には、整流部２０と電源部３０とを収納する筐体５０（即ち照明器具）が取り付けられている。第２接続部４２は、この筐体５０にコネクタ等の機械的保持手段と電気的接続手段とで接続されている。第２接続部４２は、着脱が可能であり、停電等のときに装着すればよく、通常時は外しておけば目障りにならない。
【００６７】
本実施の形態においても、電池１４からの出力でＬＥＤを点灯させる場合に商用電源１１からの出力で点灯させる場合よりもＬＥＤの電流を減少させるのであれば、第２接続部４２の内部でコンバータ３３の出力を減少させるための信号を生成し、コンバータ３３の制御部３９に入力すればよい。この場合、停電等の際に電池１４の電力を長時間利用してＬＥＤを点灯させることが可能となる。即ち、通常時において調光点灯が可能な照明器具においては電池１４から給電される点灯状態ではその光源部１３の出力設定範囲を調光点灯の下限値を下限とするように設定すれば、光源部１３のＬＥＤが安定して点灯することが通常時に確認済であるため、電池１４の電力が減った場合でも確実な点灯状態を得ることができる。
【００６８】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６９】
１０  照明システム、１１  商用電源、１２  光源点灯装置、１３  光源部、１４  電池、１５  天井面、２０  整流部、２１  全波整流回路、３０  電源部、３１  力率改善回路、３２  出力コンデンサ、３３  コンバータ、３４  ダイオード、３５  コンデンサ、３６  コイル、３７  抵抗、３８  スイッチング素子、３９  制御部、４０  接続部、４１  第１接続部、４２  第２接続部、４３  第３接続部、４４  スイッチング素子、４５  制御部、４６  高周波トランス、４７，４８  ダイオード、４９  コンデンサ、５０  筐体。
【図１】
2014078457.tif 000003
【図２】
2014078457.tif 000004
【図３】
2014078457.tif 000005
【図４】
2014078457.tif 000006
【図５】
2014078457.tif 000007